(57)【要約】【課題】例えばＦＦＲの計測等の血流機能の検査における、計測操作手順の簡略化及び作業時間の短縮化を実現した血流機能検査装置及びＸ線診断装置を提供すること。【解決手段】  被検体にＸ線を照射するＸ線発生ユニットと、前記Ｘ線発生ユニットによって照射され前記被検体を透過したＸ線を検出するＸ線検出ユニットと、前記Ｘ線検出ユニットによって検出されたＸ線に基づいてＸ線画像を生成する画像生成ユニットと、ガイドワイヤに設けられた圧力センサを用いて収集された圧力データを記録する記録ユニットと、前記Ｘ線画像を用いて、前記圧力センサによる圧力の計測位置を設定する計測位置設定ユニットと、前記Ｘ線画像を略リアルタイムに表示すると共に計測位置設定ユニットによって設定された計測位置を重ねて表示する表示ユニットと、を具備するＸ線診断装置である。【選択図】      図１
2014128649.tif 000002
【特許請求の範囲】
【請求項１】
被検体にＸ線を照射するＸ線発生ユニットと、
前記Ｘ線発生ユニットによって照射され前記被検体を透過したＸ線を検出するＸ線検出ユニットと、
前記Ｘ線検出ユニットによって検出されたＸ線に基づいてＸ線画像を生成する画像生成ユニットと、
ガイドワイヤに設けられた圧力センサを用いて収集された圧力データを記録する記録ユニットと、
前記Ｘ線画像を用いて、前記圧力センサによる圧力の計測位置を設定する計測位置設定ユニットと、
前記Ｘ線画像を略リアルタイムに表示すると共に計測位置設定ユニットによって設定された計測位置を重ねて表示する表示ユニットと、
を具備するＸ線診断装置。
【請求項２】
前記表示ユニットは心電図の位相情報を元に計測位置を重ねて表示する状態と表示しない状態とを制御する請求項１記載のＸ線診断装置。
【請求項３】
前記表示ユニットは心電図の位相情報を元に計測位置を重ねて表示するリアルタイム画像を更新するタイミングを制御する請求項１記載のＸ線診断装置。
【請求項４】
前記Ｘ線診断装置はさらに前記被検体内の圧力センサの位置を検出する位置検出ユニットを具備する請求項１記載のＸ線診断装置。
【請求項５】
前記表示ユニットはさらに位置検出ユニットで検出された圧力センサの位置を異なる様態で重ね合わせて表示する請求項１記載のＸ線診断装置。
【請求項６】
前記異なる様態は異なる色、異なる濃度、輝度の反転、あるいは点滅のどれか一つあるいは組み合わせである請求項１記載のＸ線診断装置。
【請求項７】
前記Ｘ線診断装置はさらに前記設定された計測位置と前記検出された圧力センサの位置との位置関係に基づいて、前記圧力データの前記記録ユニットへの記録を制御する制御ユニットを具備する請求項１記載のＸ線診断装置。
【請求項８】
前記制御ユニットは、前記圧力センサが前記計測位置に到達したことをトリガとして、前記圧力データの前記記録ユニットへの記録指示入力を促すメッセージを出力する請求項１記載のＸ線診断装置。
【請求項９】
前記制御ユニットは、ユーザによって入力される記録指示をトリガとして、前記圧力データの前記記録ユニットへの記録を開始する請求項８記載のＸ線診断装置。
【請求項１０】
前記制御ユニットは、前記指示が記録入力されることなく前記圧力センサが前記計測位置を通過した場合には、所定のメッセージをユーザに提示する請求項９記載のＸ線診断装置。
【請求項１１】
前記制御ユニットは、前記圧力センサが前記計測位置で所定時間静止したことをトリガとして、前記圧力データを前記記録ユニットへ記録する請求項１記載のＸ線診断装置。
【請求項１２】
前記位置検出ユニットは、前記ガイドワイヤに設けられた位置センサが出力する位置情報信号と前記Ｘ線画像の座標系とに基づいて、前記検出された圧力センサの位置を補正し、
前記制御ユニットは、前記補正された圧力センサの位置に基づいて、前記圧力センサが前記計測位置に所定時間静止したか否かを判定する請求項１記載のＸ線診断装置。
【請求項１３】
前記制御ユニットは、同一の心電位相で収集された前記Ｘ線画像を用いて前記圧力センサの経時的な位置を特定することで、前記圧力センサが前記計測位置に所定時間静止したか否かを判定する請求項１記載のＸ線診断装置。
【請求項１４】
前記制御ユニットは、同一の心電位相で収集された前記Ｘ線画像を用いて前記圧力センサの経時的な位置を特定することで、前記圧力センサが前記計測位置に所定時間静止したか否かを判定する請求項１２に記載のＸ線診断装置。
【請求項１５】
前記制御ユニットは、前記圧力データの前記記録ユニットへの記録開始時にその旨を示す第１のメッセージをユーザに提示し、記録処理中にはその旨を示す第２のメッセージをユーザに提示する請求項１に記載のＸ線診断装置。
【請求項１６】
前記第１のメッセージは、短時間で記録を開始する旨を報知するメッセージ、及び、前記ガイドワイヤの位置固定を促すメッセージのうち少なくとも何れか一つを含むメッセージである請求項１５に記載のＸ線診断装置。
【請求項１７】
前記第２のメッセージは、記録中である旨を示すメッセージ、及び、前記ガイドワイヤを動かさないことを要請するメッセージのうち少なくとも何れか一つを含むメッセージである請求項１５に記載のＸ線診断装置。
【請求項１８】
前記制御ユニットは、前記記録ユニットへの前記圧力変化の記録を完了すると、記録が完了した旨を示すメッセージ、及び、前記ガイドワイヤを動かしてよい旨を報知するメッセージのうち少なくとも一つをユーザに提示する請求項１に記載のＸ線診断装置。
【請求項１９】
前記制御ユニットは、前記記録ユニットへの前記圧力データの記録を完了すると、該記録に係る圧力データを示すグラフを前記表示ユニットに表示させる請求項１に記載のＸ線診断装置。
【請求項２０】
前記制御ユニットは、前記記録ユニットへの前記圧力データの記録を完了すると、該記録に基づいて冠血流予備量比の値を算出し、該値が所定の閾値以下の場合には、再度、同一の前記計測位置における前記圧力データを前記記録ユニットに記録する請求項１に記載のＸ線診断装置。
【請求項２１】
前記制御ユニットは、前記計測位置に係る前記圧力データの記録を完了すると、前記表示ユニットに表示された前記Ｘ線画像上の当該計測位置に対応する部位の表示態様を変化させる請求項１に記載のＸ線診断装置。
【請求項２２】
前記制御ユニットは、前記計測位置に係る前記圧力データの記録が未完了の場合、前記表示ユニットに表示される前記Ｘ線画像上において、当該計測位置に対応する部位に係る前記圧力データを記録するようユーザに促す警告表示を行う請求項１に記載のＸ線診断装置。
【請求項２３】
ガイドワイヤに設けられた圧力センサを用いて収集された圧力データを記録する記録ユニットと、
画像上において指定された計測位置と前記圧力センサの位置との位置関係に基づいて、前記圧力データの前記記録ユニットへの記録を制御する制御ユニットと、
を具備する血流機能検査装置。
【発明の詳細な説明】
【技術分野】
【０００１】
本発明の実施形態は、血流機能等を検査する為の血流機能検査装置、及び、該血流機能検査装置を具備するＸ線診断装置に関する。
【背景技術】
【０００２】
近年、例えば血管狭窄が発生した場合等には、外科的な治療ではなく、カテーテルと称される管状部材を用いて内科的な治療を行う例が増加している。カテーテルを用いた治療においては、カテーテルを例えば鼠蹊部から被検体に挿入し、当該カテーテルを血管に沿って狭窄部まで進め、当該狭窄部でバルーンを膨らませることにより治療をする。
【０００３】
さらに、再狭窄が発生することを防ぐ為に、ステントと称される金属から成る網目状の筒を狭窄部に挿入することで、血管壁を血管の内側から支えて再度の狭窄化を防止することもある。
【０００４】
しかしながら、上述したカテーテルによる内科的治療は、当然ながら症状の改善を１００％保障するものではない。
【０００５】
例えば、一つの血管に複数の狭窄部が存在する場合、実際には治療を施した狭窄部とは別の狭窄部が血流低下により大きく関与している可能性も充分に考えられる。このような場合には、血流低下に関与している他の狭窄部をも治療しなければ症状は改善しない。
【０００６】
さらに、より悪い状態の場合には、血管の先の組織が壊死している可能性も考えられる。このような場合においても、狭窄部の治療に関わらず、既に組織自体が壊死している為、症状は改善しない。
【０００７】
ところで、狭窄部を治療することによる経済的負担及び治療に伴うリスクが現実に存在する以上、上述したように治療が症状改善に寄与しないような狭窄部の治療は回避すべきであると言える。
【０００８】
以上説明したような事情から、狭窄部の治療効果を予め予測する為に冠血流予備量比（ＦＦＲ；Ｆｒａｃｔｉｏｎａｌ  Ｆｌｏｗ  Ｒｅｓｅｒｖｅ）と称される指標が用いられている。ＦＦＲは、下記式によって算出される。
【０００９】
ＦＦＲ＝（Ｐｄ／Ｐｐ）      ・・・（式１）
ここで、Ｐｄ及びＰｐは、圧センサ付ガイドワイヤを狭窄部まで挿入して測定して得た圧力の値であり、狭窄部から心臓に近い側の部位での圧力をＰｐとし、狭窄部から末梢側の部位での圧力をＰｄとしている。つまり、ＦＦＲの値は、狭窄部の前後部における圧力（血圧）の比を算出することで得られる。このＦＦＲの値に基づいて、種々の治療の必要性等が判断される。換言すれば、ＦＦＲは、冠動脈病変の機能的評価の指標として冠動脈病変評価に用いられている。なお、上述した圧センサ付ガイドワイヤ自体については従来より種々のものが提案されている（例えば特許文献１乃至特許文献３参照）。
【先行技術文献】
【特許文献】
【００１０】
【特許文献１】特開２００３−２６５６１７号公報
【特許文献２】特開平１１−７６１８３号公報
【特許文献３】特開平１１−３３００４号公報
【発明の概要】
【発明が解決しようとする課題】
【００１１】
ところで、ＦＦＲを算出する為には、圧センサ付ガイドワイヤを狭窄部の前後に位置するように配置し、且つ、ガイドワイヤを安定させるように操作しつつ、圧センサによる計測結果（圧力データ）を記録する為の操作（記録ボタンの押圧）及び補正操作等を全て手動で行うという煩雑な操作が要求される。さらには、病変が複数存在する場合には、各々の病変部毎に、上述の操作を繰り返し実行しなくてはならない。また、ガイドワイヤは血管内壁などを傷つけたりしないよう常にコントロールしていなければならないので、ＦＦＲを計測する装置の操作は別の人間が行うことになる。
【００１２】
従って、不適切な位置での計測や計測結果の記録忘れ等が発生する可能性も充分に考えられ、全ての操作を適切に行うことができたとしても作業時間として相当な時間が掛かってしまう。
【００１３】
前記の事情に鑑みて為されたものであり、例えばＦＦＲの計測等の血流機能の検査における、計測操作手順の簡略化及び作業時間の短縮化を実現した血流機能検査装置及びＸ線診断装置を提供することを目的とする。
【課題を解決するための手段】
【００１４】
本実施形態に係るＸ線診断装置は、被検体にＸ線を照射するＸ線発生ユニットと、前記Ｘ線発生ユニットによって照射され前記被検体を透過したＸ線を検出するＸ線検出ユニットと、前記Ｘ線検出ユニットによって検出されたＸ線に基づいてＸ線画像を生成する画像生成ユニットと、ガイドワイヤに設けられた圧力センサを用いて収集された圧力データを記録する記録ユニットと、前記Ｘ線画像を用いて、前記圧力センサによる圧力の計測位置を設定する計測位置設定ユニットと、前記Ｘ線画像を略リアルタイムに表示すると共に計測位置設定ユニットによって設定された計測位置を重ねて表示する表示ユニットと、を具備するものである。
【図面の簡単な説明】
【００１５】
【図１】図１は、本発明の第１実施形態に係る血流機能検査装置の一構成例を示すブロック図である。
【図２】図２は、ＦＦＲを算出する際の狭窄部における計測位置を示す図である。
【図３】図３は、本発明の第２実施形態に係る血流機能検査装置の一構成例を示すブロック図である。
【図４】図４は、ＦＦＲを算出する際の狭窄部における計測位置を示す図である。
【発明を実施するための形態】
【００１６】
以下、図面を参照して本発明の実施形態に係る血流機能検査装置及びＸ線診断装置について説明する。
【００１７】
［第１実施形態］
図１は、本発明の第１実施形態に係る血流機能検査装置の一構成例を示すブロック図である。同図に示すように、本第１実施形態に係る血流機能検査装置１００には、Ｘ線診断装置５０と、圧センサ付ガイドワイヤ９０と、心電計（不図示）と、が通信可能に接続されている。なお、以下の説明においては、Ｘ線診断装置５０とは別体として構成された血流機能検査装置１００により、後述するＦＦＲ算出に係る処理を実現する場合を例とする。しかしながら、当該例に拘泥されず、血流機能検査装置１００の機能を内蔵したＸ線診断装置５０により、ＦＦＲ算出に係る処理を実現するようにしてもよい。
【００１８】
Ｘ線診断装置５０は、血流機能検査装置１００にＸ線診断画像を提供する為の装置であり、Ｘ線撮影機構１０と画像処理装置２０とを具備する。
【００１９】
前記Ｘ線撮影機構１０は、Ｘ線管球１２と、検出システム１４と、寝台（不図示）の天板１６と、Ｃ形アーム１６０と、を有する。
【００２０】
前記Ｘ線管球１２は、検出システム１４と共に、Ｃ形アーム１６０にマウントされる。前記検出システム１４はＦＰＤ（Flat  Panel  Detector）が一般的である。しかしながら、検出システム１４はイメージインテンシファイアとＴＶカメラとを備えたものであっても良い。Ｃ形アーム１６０は、天井から吊り下げられる支柱に支持される。Ｃ形アーム１６０は、直交３軸に関して回転可能である。寝台（不図示）の天板１６上に載置された被検体Ｐは、Ｘ線管球１２と検出システム１４との間に配置される。
【００２１】
画像処理装置２０は、制御部３７と、Ａ／Ｄ変換器３８と、画像メモリ２４と、サブトラクション部３１と、アフィン変換部３６と、表示部４１と、ルックアップテーブル（以降、ＬＵＴと略称する）４５と、フィルタリング部３２と、ファイバチャネルカード４７と、を有する。
【００２２】
前記制御部３７は、画像処理装置２０の各部を統括的に制御する。前記Ａ／Ｄ変換器３８は、Ｘ線撮影機構１０に接続されており、Ｘ線撮影機構１０からアナログ情報として供給される投影データをデジタル化する。前記画像メモリ２４は、Ｘ線撮影機構１０から供給され、Ａ／Ｄ変換器３８によりデジタル化された投影データを記憶する。前記サブトラクション部３１は、画像データのサブトラクト（ＤＳＡ；Ｄｉｇｉｔａｌ  Ｓｕｂｔｒａｃｔｉｏｎ  Ａｎｇｉｏｇｒａｐｈｙ）を実行する。前記フィルタリング部３２は、例えば高周波強調処理等のフィルタリング処理を行う。前記アフィン変換部３６は、画像データに対して拡大処理、移動処理を行う。前記ＬＵＴ４５は、画像データに対して階調変換を行う。前記ファイバチャネルカード４７は、ファイバチャネル転送のＩ／Ｆである。
【００２３】
前記血流機能検査装置１００は、圧力計測部１０１と、ファイバチャネルカード１０３と、ワイヤ先端部検出部１０５と、目標位置設定部１０７と、記録タイミング制御部１０９と、記録部１１１と、ＦＦＲ算出部１１３と、表示部１４１と、を有する。
【００２４】
前記圧力計測部１０１は、圧センサ付ガイドワイヤ９０の圧センサからの出力信号（圧力データ）を受信し、該信号から圧力を算出（計測）する。
【００２５】
前記ファイバチャネルカード１０３は、ファイバチャネル転送のＩ／Ｆである。ここで、画像処理装置２０と血流機能検査装置１００とは、ファイバチャネルカード４７，１０３を介してファイバチャネルケーブルで接続されている。Ｘ線撮影機構１０によって収集されたデータは、ファイバチャネルケーブルを用いた高速データ通信により、略リアルタイムに血流機能検査装置１００に転送されるように構成されている。
【００２６】
前記ワイヤ先端部検出部１０５は、画像処理装置２０から転送されたＸ線診断画像から圧センサ付ガイドワイヤ９０の先端部を検出する。具体的には、圧センサ付ガイドワイヤ９０の先端部には例えば放射線不透過性マーカ（例えばタングステン等から成るマーカ）が設けられている。また、圧センサ付ガイドワイヤ９０の先端部は、可視性を高める構造を有している。前記ワイヤ先端部検出部１０５はこのマーカをＸ線診断画像から検出することで、圧センサ付ガイドワイヤ９０の先端部を検出する。また、ワイヤ先端部検出部１０５は、例えば相関演算等の画像処理技術によって、圧センサ付ガイドワイヤ９０の先端部を追跡する。
【００２７】
前記目標位置設定部１０７は、画像処理装置２０から転送されたＸ線診断画像に基づいて、予め圧力を計測（記録）する目標位置（後述する計測位置）を設定する。
【００２８】
前記記録タイミング制御部１０９は、ワイヤ先端部検出部１０５によって検出された圧センサ付ガイドワイヤ９０の先端部の位置と、目標位置設定部１０７によって設定された計測位置とに基づいて、所定のタイミングで前記圧力データを記録部１１１に記録する。換言すれば、前記記録タイミング制御部１０９は、圧センサ付ガイドワイヤ９０の先端部の位置と計測位置とに基づいて、圧力データを記録部１１１に記録するタイミングを制御する（記録タイミング信号を生成する）。
【００２９】
具体的には、記録タイミング制御部１０９は、圧センサ付ガイドワイヤ９０の先端部が予め設定された計測位置に到達し、且つ、当該計測位置で所定時間静止したことを検出すると、当該計測位置において圧センサが収集した圧力データを記録部１１１に記録する。なお予め設定された計測位置は一定の範囲を持つものとする。
【００３０】
前記記録部１１１は、記録タイミング制御部１０９による制御で、各計測位置において収集された圧力データを記録する。
【００３１】
前記ＦＦＲ算出部１１３は、記録部１１１に記録された圧力データに基づいて、冠血流予備量比（以降、ＦＦＲと略称する）を算出する。ＦＦＲは、狭窄部の治療効果を予め予測する為の指標である。ここで、Ｐｄ及びＰｐを、圧センサ付ガイドワイヤを狭窄部まで挿入して測定して得た圧力の値とし、狭窄部から心臓に近い側の部位での圧力をＰｐ、狭窄部から末梢側の部位での圧力をＰｄとすると、前記ＦＦＲは、下記式によって算出される。
【００３２】
ＦＦＲ＝（Ｐｄ／Ｐｐ）      ・・・（式２）
すなわち、ＦＦＲの値は、狭窄部の前後部における圧力の比を算出することで得ることができる。
【００３３】
以下、本発明の第１実施形態に係る血流機能検査装置１００によるＦＦＲ算出に係る一連の処理の一例を説明する。
【００３４】
なお、実際に圧センサ付ガイドワイヤ９０を使用してＦＦＲを算出する場合には、空気圧でのキャリブレーション等の様々なキャリブレーションが必要である。しかしながら、それらキャリブレーションは本第１実施形態に係る血流機能検査装置に特有の処理ではない為、説明を省略する。
【００３５】
まず、ユーザは、狭窄部が生じている血管の心臓側にカテーテルを誘導し、そこから造影剤を注入しつつＸ線撮影機構１０及び画像処理装置２０によって、Ｘ線診断画像の動画像（以降、Ｘ線動画像と略称する）を収集する。このとき、検査対象の血管が心臓血管である場合には、Ｘ線動画像だけでなく、心電計（不図示）によって心電図も同時に収集する。Ｘ線撮影機構１０及び画像処理装置２０によって収集された画像は、略リアルタイムで血流機能検査装置１００に送信される。
【００３６】
ユーザは、血流機能検査装置１００の表示部１４１に表示されたＸ線動画像を参照し、狭窄部が明瞭に視認でき、且つ、動き（例えば心臓の動き）が少ない画像を選択し、『目標位置設定ボタン』を押圧する。
【００３７】
図２は、ＦＦＲを算出する際の狭窄部における計測位置を示す図である。目標位置設定部１０７は、図２に示すように、狭窄部の直近の心臓側から末梢側へという順で計測対象の血管に対して略垂直な線を描いて計測位置を設定する。このとき、検査対象の血管が心臓血管である場合には、心臓がほぼ静止しているときの心電位相を指定し、その心電位相に対応するＸ線画像上で計測位置を設定する。設定された計測位置は、例えば図２に例示するように、Ｘ線画像上において明示的に表示される。
【００３８】
ここで、複数の狭窄部を有する病変については、この操作を狭窄の個数分繰り返す。図２に示す例では狭窄部（１）Ｓ１及び狭窄部（２）Ｓ２が存在するので、２か所の狭窄部の心臓側と末梢側とにそれぞれ１本ずつ直線が描かれている。ここで狭窄部には、計測位置が設定された順に番号（本例では（１）、（２））が振られる。
【００３９】
図２において、狭窄部（１）Ｓ１の心臓側の線がＰｐ１（狭窄部（１）Ｓ１の心臓側の血圧）の計測位置、末梢側の線がＰｄ１（狭窄部（１）Ｓ１の末梢側の血圧）の計測位置を示している。同様に、図２において、狭窄部（２）Ｓ２の心臓側の線がＰｐ２（狭窄部（２）Ｓ２の心臓側の血圧）の計測位置、末梢側の線がＰｄ２（狭窄部（２）Ｓ２の末梢側の血圧）の計測位置を示している。
【００４０】
ユーザは、目標位置設定部１０７によって計測位置が適切に設定されたと判断すると、『設定完了ボタン』を押圧する。これにより、計測位置情報と心電図位相情報（Ｒ−Ｒ信号の何％位置）とが、記録タイミング制御部１０９に送信される。  なお、設定された計測位置は、心電図の位相情報を元に、計測位置を重ねて表示する状態と表示しない状態とを区別するようにしてもよい。また、心電図の位相情報を元に、計測位置を重ねて表示するリアルタイム画像を逐次更新することも可能である。  続いて、ユーザは、表示部１４１に表示されたＸ線動画像を参照しながら、カテーテルの中に圧センサ付ガイドワイヤ９０を通し、狭窄部（２）Ｓ２よりも末端側の所定の位置においてカテーテルの先端部から圧センサ付ガイドワイヤ９０を露出させる。なお、少なくともカテーテルや圧センサ付ガイドワイヤ９０の操作中においては、ワイヤ先端部検出部１０５は、ファイバチャネルケーブル経由でＸ線診断装置５０からＸ線動画像を随時リアルタイムで取得し、或る時点で収集した画像と、その直前に収集した画像とをサブトラクションし、圧センサ付ガイドワイヤ９０の移動が抽出されたサブトラクション画像を生成する。このとき、検査対象の血管が心臓血管である場合には、計測位置の設定に使用した心電位相で収集した画像と、その１周期前に収集した画像と、をサブトラクションし、圧センサ付ガイドワイヤ９０の移動が抽出されたサブトラクション画像を生成する。
【００４１】
さらに、ワイヤ先端部検出部１０５は、前記サブトラクション画像から圧センサ付ガイドワイヤ９０の両エッジを抽出し、該抽出した両エッジから、圧センサ付ガイドワイヤ９０の先端部の特徴量を利用して当該先端部を検出する。
【００４２】
ユーザは、カテーテルを引きながら、血管内において圧センサ付ガイドワイヤ９０をゆっくりと移動させる。記録タイミング制御部１０９は、前記検出された圧センサ付ガイドワイヤ９０の先端部と、前記計測位置情報とを比較し、圧センサ付ガイドワイヤ９０の先端部が計測位置から所定距離範囲内に入り且つ所定時間静止したか否かを判断する。このとき、検査対象の血管が心臓血管である場合には、計測位置の設定に使用した心電位相で収集した画像から検出された圧センサ付ガイドワイヤ９０の先端部と、前記計測位置情報とを比較し、圧センサ付ガイドワイヤ９０の先端部が計測位置から所定距離範囲内に入り且つ所定時間静止したか否かを判断する。ここで、圧センサ付ガイドワイヤ９０の先端部が計測位置から所定距離範囲内に入り且つ所定時間静止したと判断した場合、記録タイミング制御部１０９は、血流機能検査装置１００の表示部１４１に例えば『狭窄部（２）の心臓側位置での血圧記録を開始します。ガイドワイヤを固定して動かさないようにして下さい。』との旨のメッセージを表示させる。
【００４３】
さらに、記録タイミング制御部１０９は、圧センサ付ガイドワイヤ９０の先端部と計測位置との距離が変化していないことを確認した上で、例えば『狭窄部（２）の心臓側位置での血圧記録を行っています。ガイドワイヤを固定して動かさないようにして下さい。』との旨のメッセージを表示部１４１に表示させ、当該計測位置における圧力データを記録部１１１に記録する（記録タイミング信号を生成する）。すなわち、記録部１１１は、記録タイミング制御部１０９の制御で（記録タイミング信号に従って）、当該計測位置において圧力センサが収集した圧力データを記録する。
【００４４】
所定時間の記録が完了すると、記録タイミング制御部１０９は、『狭窄部（２）の心臓側位置での血圧記録を完了しました。ガイドワイヤを次の計測位置に移動して下さい。』との旨のメッセージを表示部１４１に表示させる。記録が完了すると、記録タイミング制御部１０９は、記録した圧力データを示すグラフ（計測位置における血圧変動のグラフ）を、表示部１４１に表示させる。
【００４５】
そして、ユーザは、この表示部１４１に表示されたグラフを視認し、正常に血圧が計測されたか否かを判断する。ここで、例えば血圧変動が周期毎に大きく変化している場合には、当該計測が正しく行われていない可能性があるので、ユーザは『再計測ボタン』を押圧し、再度の計測を実行する。
【００４６】
上述した一連の操作・処理を、残りの計測位置（すなわち、本例の場合、狭窄部（２）Ｓ１の末梢側位置、狭窄部（１）Ｓ２の心臓側位置、末梢側位置）についてそれぞれ計測を実行する。
【００４７】
そして、Ｐｐ１，Ｐｄ１，Ｐｐ２，Ｐｄ２の全ての算出・記録が完了すると、記録タイミング制御部１０９は、それら圧力データを記録部１１１から読み出してＦＦＲ算出部１１３に出力する。そして、ＦＦＲ算出部１１３は、それら記録部１１１に記録された圧力データ（本例ではＰｐ１，Ｐｄ１，Ｐｐ２，Ｐｄ２）を、上述の（式２）に代入することによって、全ての狭窄部（本例では、狭窄部（１）Ｓ１及び狭窄部（２）Ｓ２）に係るＦＦＲの値を算出する。
【００４８】
また、本実施例ではＸ線診断装置５０と血流機能検査装置１００とを別体構成としているが、血流機能検査装置１００をＸ線診断装置５０内部に組み込んでも勿論良い。また、血流機能検査装置１００の一部の機能だけをＸ線診断装置５０内部に組み込んでも良い。具体的にはワイヤ先端部検出部１０５と、目標位置設定部１０７と、記録タイミング制御部１０９とをＸ線診断装置５０内部に組み込み、Ｘ線診断装置５０から血流機能検査装置１００に記録タイミングを指示するような構成としても良い。
【００４９】
さらには、本第１実施形態は、ＦＦＲの算出のみならず、ＦＦＲと同様な手順で算出する冠血流予備能（ＣＦＲ）の算出においても適用できることは勿論である。
【００５０】
以上説明したように、本第１実施形態によれば、例えばＦＦＲの計測等の血流機能の検査における、計測操作手順の簡略化及び作業時間の短縮化を実現した血流機能検査装置及びＸ線診断装置を提供することができる。
【００５１】
上述した第１実施形態に係る血流機能検査装置及びＸ線診断装置は、例えば下記のように変形して実施することができる。
【００５２】
《変形例１》
例えば、上述した例では、ＦＦＲ算出部１１３は、全ての狭窄部（狭窄部（１）及び狭窄部（２））に係る圧力データが算出・記録された時点でＦＦＲを算出している。しかしながら、一つの狭窄部に係るＰｐ及びＰｄが算出・記録された時点で順次ＦＦＲを算出してもよい。
【００５３】
さらに、或る狭窄部に係るＦＦＲの値が“虚血閾値”を下回った場合（例えば０．７５を“虚血閾値”として、ＦＦＲの値が０．６３と算出・記録された場合等）には、ユーザによる確認の為に当該狭窄部に係る圧力データのグラフを表示部１４１に表示するように構成してもよい。
【００５４】
また、或る狭窄部に係るＦＦＲの値が“虚血閾値”を下回った場合（例えば０．７５を “虚血閾値”として、ＦＦＲの値が０．６３と算出・記録された場合等）には、当該狭窄部に係る計測位置における圧力データを再収集し、ＦＦＲを再度算出するように構成してもよい。
【００５５】
《変形例２》
上記説明においては、圧センサ付ガイドワイヤ９０の先端部が計測位置から所定距離範囲内に入り且つ所定時間静止したと判断した場合に、計測位置における圧力データを記録部１１１に自動的に記録する構成とした。しかしながら、当該例に拘泥されず、例えばユーザ自身のマニュアル操作によって、計測位置における圧力データの記録開始を指示するようにしてもよい。この場合、圧センサ付ガイドワイヤ９０の先端部が計測位置に到達したこと（或いは所定距離範囲内に入ったこと）をトリガとして、血流機能検査装置１００の表示部１４１に例えば『狭窄部（２）の心臓側位置での血圧記録開始ボタンを押してください。ガイドワイヤを固定して動かさないようにして下さい。』等の記録開始指示を促すメッセージを表示する（或いは音声等にて出力する）ことが好ましい。また、上述した計測中であること、計測が完了したことを知らせるメッセージも表示することができる。さらに、仮に記録開始指示が入力されることなく圧センサ付ガイドワイヤ９０の先端部が計測位置を通過した場合には、表示部１４１に例えば『『狭窄部（２）の心臓側位置での血圧が記録されていません。』等の警告メッセージを表示する（或いは音声等にて出力する）ことが好ましい。
【００５６】
《変形例３》
圧センサ付ガイドワイヤ９０の先端部の位置（すなわち、圧力センサの位置）を、Ｘ線画像上において、周囲とは異なる様態（例えば、異なる色、異なる濃度、輝度の反転、点滅、或いはこれらの組み合わせ）で重ね合わせて表示するようにしてもよい。
【００５７】
［第２実施形態］
以下、本発明の第２実施形態に係る血流機能検査装置及びＸ線診断装置について説明する。説明の重複を避ける為、上述した第１実施形態との相違点を説明する。なお、本実施形態においても、第1の実施形態と同様に、Ｘ線診断装置５０とは別体として構成された血流機能検査装置１００により、後述するＦＦＲ算出に係る処理を実現する場合を例とする。しかしながら、当該例に拘泥されず、血流機能検査装置１００の機能を内蔵したＸ線診断装置５０により、ＦＦＲ算出に係る処理を実現するようにしてもよい。
【００５８】
本第２実施形態においては、圧センサ付ガイドワイヤ９０の先端部には位置センサ（例えばＧＰＳセンサ）が設けられている。
【００５９】
図３は、本発明の第２実施形態に係る血流機能検査装置の一構成例を示すブロック図である。
【００６０】
第１実施形態に係る血流機能検査装置１００と相違する構成要件としては、Ｅｔｈｅｒｎｅｔ（登録商標）等の外部との通信を行う為のＩ／Ｆであるネットワークインターフェイス（Ｎｅｔｗｏｒｋ  Ｉ／Ｆ）１２５と、前記位置センサからの信号（例えばＧＰＳ信号）に基づいて圧センサ付ガイドワイヤ９０の先端部を検出する位置同定部１２１と、ＣＴ画像やＭＲＩ画像等の三次元画像に基づいて予め前記計測位置を設定する為の目標位置設定部１２７と、ＣＴ画像やＭＲＩ画像等の三次元画像と位置センサとのキャリブレーションを行う位置補正部１２３と、位置同定部１２１からの出力情報と目標位置設定部１２７からの出力情報とに基づいて記録タイミングを判定・制御する記録タイミング制御部１２９と、を主に挙げることができる。
【００６１】
本第２実施形態に係る血流機能検査装置１００は、ネットワークインターフェイス１２５を介して、ＣＴ装置１６１、ＭＲＩ装置１７１、及びＰＡＣＳ１５１が通信可能に接続されている。
【００６２】
以下、本発明の第２実施形態に係る血流機能検査装置によるＦＦＲ算出に係る一連の処理の一例を説明する。
【００６３】
なお、実際に圧センサ付ガイドワイヤ９０を使用してＦＦＲを算出する場合には、空気圧でのキャリブレーション等の様々なキャリブレーションが必要である。しかしながら、それらキャリブレーションは本第２実施形態に係る血流機能検査装置に特有の処理ではない為、説明を省略する。
【００６４】
まず、ユーザは、検査対象の血管の三次元画像を、ＣＴ装置１６１、ＭＲＩ装置１７１、及びＰＡＣＳ１５１等からネットワークインターフェイス１２５経由で取得する。この三次元画像は、検査対象の血管について狭窄部を含む領域が描出されている医用画像である。
【００６５】
ユーザが『目標位置設定ボタン』を押圧し、目標位置設定部１２７が三次元画像上で狭窄部の直近の心臓側から末梢側への順で、図４に示すように計測位置を同定（検出）する。図４は、ＦＦＲを算出する際の狭窄部における計測位置を示す図である。
【００６６】
ここで、複数の狭窄部を有する病変については、この操作を狭窄部の個数分だけ繰り返し実行する。図４に示す例では狭窄部（１）Ｓ１及び狭窄部（２）Ｓ２が存在するので、２か所の狭窄部の心臓側と末梢側とにそれぞれ１個ずつ印が描かれている。ここで狭窄部には、ユーザによって計測位置が設定された順に番号が振られる。
【００６７】
図４において、狭窄部（１）Ｓ１の心臓側の印がＰｐ１（狭窄部（１）Ｓ１の心臓側の血圧）の計測位置、末梢側の印がＰｄ１（狭窄部（１）Ｓ１の末梢側の血圧）の計測位置を示している。同様に狭窄部（２）Ｓ２の心臓側の印がＰｐ２（狭窄部（２）Ｓ２の心臓側の血圧）の計測位置、末梢側の印がＰｄ２（狭窄部（２）Ｓ２の末梢側の血圧）の計測位置を示している。
【００６８】
ユーザは、目標位置設定部１０７によって計測位置が適切に設定されたと判断すると、『設定完了ボタン』を押圧する。これにより、計測位置情報と、三次元画像が収集された心電図位相情報（Ｒ−Ｒ信号の何％位置）とが、記録タイミング制御部１０９に送信される。
【００６９】
続いて、ユーザは、カテーテルの中を通して圧センサ付ガイドワイヤ９０を進め、『Ｃａｌｉｂｒａｔｉｏｎボタン』を押圧する。位置同定部１２１は、前記位置センサからの信号（例えばＧＰＳ信号）に基づいて圧センサ付ガイドワイヤ９０の先端部を検出し、圧センサ付ガイドワイヤ９０の先端部が血管の特徴的な構造に到達した時点で、当該時点における圧センサ付ガイドワイヤ９０の先端部の位置に対応する三次元画像上の位置を特定する。この一連の操作・処理は３回実行する。
【００７０】
そして、上述の処理によって特定された検査対象の血管の三次元画像上の座標と、位置センサからの信号（例えばＧＰＳ信号）で検出された三次元座標と、が位置補正部１２３に送信される。位置補正部１２３は、これら送信されてきた情報に基づいて、三次元画像と位置センサとのキャリブレーションを行う。これにより、圧センサ付ガイドワイヤ９０の先端部に設けられた位置センサで検出される三次元座標と、検査対象の血管の三次元画像上の三次元座標と、の対応付け（位置補正処理）が完了する。
【００７１】
上述の処理によって位置補正処理が完了した後、ユーザは、表示部１４１に表示されたＸ線動画像を参照しながら、カテーテルの中に圧センサ付ガイドワイヤ９０を通し、狭窄部（２）Ｓ２よりも末端側の所定の位置においてカテーテルの先端部から圧センサ付ガイドワイヤ９０を露出させる。
【００７２】
圧センサ付ガイドワイヤ９０の先端部に設けられた位置センサからの信号（例えばＧＰＳ信号）は、位置同定部１２１によって三次元座標に変換され、且つ、位置補正部１２３によって血管の三次元画像上の三次元座標に変換（補正）される。この変換後の三次元座標は、表示部１４１に表示された血管の三次元画像上において圧センサ付ガイドワイヤ９０の位置として表示され、略リアルタイムで記録タイミング制御部１０９に送信される。
【００７３】
そして、記録タイミング制御部１０９は、前記検出された圧センサ付ガイドワイヤ９０先端部と、前記計測位置情報とを比較し、圧センサ付ガイドワイヤ９０の先端部が計測位置から所定距離範囲内に入り且つ所定時間静止したか否かを判断する。
【００７４】
ここで、圧センサ付ガイドワイヤ９０の先端部が計測位置から所定距離範囲内に入り且つ所定時間静止したと判断した場合、記録タイミング制御部１０９は、血流機能検査装置１００の表示部１４１に例えば『狭窄部（１）の心臓側位置での血圧記録を開始します。ガイドワイヤを固定して動かさないようにして下さい。』との旨のメッセージを表示させる。
【００７５】
さらに、記録タイミング制御部１０９は、圧センサ付ガイドワイヤ９０の先端部と計測位置との距離が変化していないことを確認した上で、例えば『狭窄部（１）の心臓側位置での血圧記録を行っています。ガイドワイヤを固定して動かさないようにして下さい。』との旨のメッセージを表示部１４１に表示させ、当該計測位置における圧力データを記録部１１１に記録する（記録タイミング信号を生成する）。すなわち、記録部１１１は、記録タイミング制御部１０９の制御で（記録タイミング信号に従って）、当該計測位置において圧力センサによって収集された圧力データを記録する。
【００７６】
所定時間の記録が完了すると、記録タイミング制御部１０９は、例えば『狭窄部（１）の心臓側位置での血圧記録を完了しました。ガイドワイヤを次の計測位置に移動して下さい。』との旨のメッセージを表示部１４１に表示させる。記録が完了すると、記録タイミング制御部１０９は、記録した圧力データを示すグラフ（計測位置における血圧変動のグラフ）を、表示部１４１に表示させる。
【００７７】
そして、ユーザは、この表示部１４１に表示されたグラフを視認し、正常に血圧が計測されたか否かを判断する。ここで、例えば血圧変動が周期毎に大きく変化している場合には、当該計測が正しく行われていない可能性があるので、『再計測ボタン』を押圧し、再度の計測を実行する。
【００７８】
上述した一連の操作・処理を、残りの計測位置（本例では、狭窄部（１）Ｓ１の末梢側位置、狭窄部（２）Ｓ２の心臓側位置、末梢側位置）についてそれぞれ実行する。そして、Ｐｐ１，Ｐｄ１，Ｐｐ２，Ｐｄ２の全ての算出・記録が完了すると、記録タイミング制御部１０９は、それら圧力データを記録部１１１から読み出してＦＦＲ算出部１１３に出力する。そして、ＦＦＲ算出部１１３は、それら記録部１１１に記録された圧力データ（本例ではＰｐ１，Ｐｄ１，Ｐｐ２，Ｐｄ２）を、上述の（式２）に代入することによって、全ての狭窄部（本例では、狭窄部（１）Ｓ１及び狭窄部（２）Ｓ２）に係るＦＦＲの値を算出する。
【００７９】
《変形例》
当然ながら、第1の実施形態において説明したＦＦＲの算出タイミング（変形例１）、マニュアル操作による圧力データの記録開始制御（変形例２）、圧力センサの位置の表示形態（変形例３）についても、本第２の実施形態に適用可能である。
【００８０】
以上説明したように、本第２実施形態によれば、第１実施形態に係る血流機能検査装置及びＸ線診断装置と同様の効果を奏する血流機能検査装置及びＸ線診断装置を提供することができる。なお、検査対象の血管が心臓血管である場合には、計測位置の設定に使用した心電位相で収集した画像から検出された圧センサ付ガイドワイヤ９０の先端部と、前記計測位置情報とを比較し、圧センサ付ガイドワイヤ９０の先端部が計測位置から所定距離範囲内に入り且つ所定時間静止したか否かを判断すれば良い。
【００８１】
本発明のいくつかの実施形態を説明したが、これらの実施形態は、例として提示したものであり、発明の範囲を限定することは意図していない。
【００８２】
例えば、上記各実施形態においては、医用画像診断装置としてＸ線診断装置を利用する場合を例示した。しかしながら、当該例に構成されず、例えば、Ｘ線コンピュータ断層撮像装置。磁気共鳴イメージング装置、超音波診断装置等の他の医用画像診断装置を用いて、記述の血流機能検査を実現するようにしてもよい。
【００８３】
また、これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１０…Ｘ線撮影機構、  １２…Ｘ線管球、  １４…検出システム、  １６…天板、  ２０…画像処理装置、  ２４…画像メモリ、  ３１…サブトラクション部、  ３２…フィルタリング部、  ３６…アフィン変換部、  ３７…制御部、  ３８…Ａ／Ｄ変換器、  ４１…表示部、  ４５…ルックアップテーブル、  ４７，１０３…ファイバチャネルカード、  ５０…Ｘ線診断装置、  ９０…圧センサ付ガイドワイヤ、  １００…血流機能検査装置、  １０１…圧力計測部、  １０５…ワイヤ先端部検出部、  １０７…目標位置設定部、  １０９…記録タイミング制御部、  １１１…記録部、  １１３…ＦＦＲ算出部、  １２１…位置同定部、  １２３…位置補正部、  １２５…ネットワークインターフェイス、
１２７…目標位置設定部、  １２９…記録タイミング制御部、  １４１…表示部、  １５１…ＰＡＣＳ、  １６１…ＣＴ装置、  １７１…ＭＲＩ装置、  １６０…Ｃ形アーム。
【図１】
2014128649.tif 000003
【図２】
2014128649.tif 000004
【図３】
2014128649.tif 000005
【図４】
2014128649.tif 000006